(57)【特許請求の範囲】
【請求項１】
２本の電線が保持される接続端子台と、前記接続端子台の上部に被着される蓋体と、前記接続端子台の下方に設けられるソケットとからなる電球用ソケットにおいて、
前記接続端子台には、その上面の中央部に上方へ突出するガイド突起が設けられると共に、前記ガイド突起の両側に前記２本の電線を各々嵌入させるガイド溝が該接続端子台の一端側から他端側に一続きに連通して形成され、
前記ガイド溝内には前記２本の電線に対応する２つの端子を設け、
前記ガイド突起は、少なくとも前記ガイド溝側に対応する両側面であって且つ少なくとも該ガイド溝よりも上方に位置する部分が先端に向かって窄まるテーパー状に形成され、
前記２本の電線間に前記ガイド突起を挿し込んで該２本の電線を押し下げると、該２本の電線間が該ガイド突起のテーパー部分によって押し拡げられて前記ガイド溝へと送り込まれるようにしたことを特徴とする電球用ソケット。
【請求項２】
前記ガイド溝の外側に位置する内面が前記ガイド突起を囲うような弓形になっていることを特徴とする請求項１記載の電球用ソケット。
【請求項３】
前記ガイド溝の長手方向に沿った開放側であって両ガイド溝間に凸部を設け、
該凸部と前記ガイド溝の外側に位置する内面間に、前記２本の電線の各々が挟持されるようになっていることを特徴とする請求項２記載の電球用ソケット。
【請求項４】
前記接続端子台の側面に前記ガイド溝と連なる導出溝を設けたことを特徴とする請求項３記載の電球用ソケット。
【発明の詳細な説明】
【技術分野】
【０００１】
本発明は、電球用ソケットに関するものである。
【背景技術】
【０００２】
従来、例えば、屋台を囲むように複数の電球を配設した照明や、工事現場で仮設的に使用する照明として、２芯の平型絶縁ビニルシースケーブル（以下、「ＶＶＦケーブル」という）や丸型絶縁ビニルシースケーブル（以下、「ＶＶＲケーブル」という）等の電線を幹線とし、この幹線に分岐させるように複数の電球用ソケットを配設するといったことが広く行われている。そして、この種の電球用ソケットの一般的な構成として、特許文献１に示すように、ソケット本体９の上面中央部に螺子止め用の孔部９ｂを有する円柱状の突起と、該円柱状の突起の両サイドにＶＶＦケーブル等から供給された電気を受け入れる端子８ａとを設けたものが一般的に知られている。そして、この種の電球用ソケットにＶＶＦケーブル等を装着する場合、まず、ＶＶＦケーブル等の外側に被覆されている外皮（シース）をある程度剥ぎとって２本の電線を露出させた後、この２本の電線をソケット本体９の端子８ａに当接するようにしている。この時、２本の電線が２つの端子に各々当たるようにするため、予め２本の電線を左右に押し開いて菱形状に拡げておき、この菱形状に拡げた状態の２本の電線間にソケット本体９上面中央部の円柱状の突起が位置するように電線を配置した後、ソケット本体９に蓋体１０を被せて螺着するようにしている。
【特許文献１】公開実用新案公報  実開平６−８６２９４号公報
【発明の開示】
【発明が解決しようとする課題】
【０００３】
しかしながら、ＶＶＦケーブルやＶＶＲケーブルに使用される電線は、比較的太く硬いことから、特許文献１のように電線を装着する際に、いちいち電線を菱形状に押し拡げなければならないとすると、その作業の分が装着の手間となり、作業効率を低下させる一因となっていた。また、電線を菱型状に押し拡げるにあたり、それなりに手の力を必要とするため、作業者に負担を強いることにもなっており、特に、この種の電球用ソケットは、ＶＶＦケーブルに一度に複数個、装着することが多いのでその負担も大きいといえた。
【０００４】
そこで、本願発明は、上記課題を解決するべくなされたもので、その目的とするところは、ＶＶＦケーブル等の電線を電球用ソケットに装着するにあたり、予め装着する２本の電線を手によって押し拡げるといった作業をなくし、電線を電球用ソケットにワンタッチ的に装着することを可能とした電球用ソケットを提供することにある。
【課題を解決するための手段】
【０００５】
上記目的を達成するために請求項１に係る電球用ソケットは、２本の電線が保持される接続端子台と、前記接続端子台の上部に被着される蓋体と、前記接続端子台の下方に設けられるソケットとからなる電球用ソケットにおいて、前記接続端子台には、その上面の中央部に上方へ突出するガイド突起が設けられると共に、前記ガイド突起の両側に前記２本の電線を各々嵌入させるガイド溝が設けられ、前記ガイド溝内には前記２本の電線に対応する２つの端子を設け、前記ガイド突起は、少なくとも前記ガイド溝側に対応する両側面上方部分が先端に向かって窄まるテーパー状に形成されていることを特徴としている。
【０００６】
請求項２に係る電球用ソケットは、前記ガイド溝の外側に位置する内面が前記ガイド突起を囲うような弓形になっていることを特徴としている。なお、ここにいう「弓形」とは、まさに弓のような形をしていることを意味し、弓形に湾曲している場合のほか、弓形に屈曲している場合、あるいは、弓のような台形状になっている場合を含むものである。
【０００７】
請求項３に係る電球用ソケットは、前記ガイド溝の長手方向に沿った開放側であって両ガイド溝間に凸部を設け、該凸部と前記ガイド溝の外側に位置する内面間に、前記２本の電線の各々が挟持されるようになっていることを特徴としている。
【０００８】
請求項４に係る電球用ソケットは、前記接続端子台の側面に前記ガイド溝と連なる導出溝を設けたことを特徴としている。
【発明の効果】
【０００９】
本発明に係る電球用ソケットは、ＶＶＦケーブル等から露出させた２本の電線を接続端子台に接続するにあたり、２本の電線を予め菱形に押し拡げておく必要がない。すなわち、本願発明に係る電球用ソケットの場合、２本の電線を接続端子台に装着する場合、２本の電線間にほんの少し隙間ができる程度に拡げた後、この隙間を接続端子台中央のガイド突起に挿し込み、そのまま２本の電線を下方に押し下げていけば、ガイド突起のテーパー部分で電線を押し拡げながら、ガイド溝へと送り込むことになる。さらに電線はガイド溝の外側内面の弓形部分で略菱形形状になってガイド溝に嵌合する。すなわち、本発明によれば、電線を電球用ソケットに装着する際に、２本の電線を予め菱形に押し拡げるという面倒な作業を不要とし、装着作業の労力軽減と作業能率の向上を図ることができる。
【発明を実施するための最良の形態】
【００１０】
まず、本発明に係る電球用ソケットの実施の形態について、図面を参照しながら説明する。図１は、屋台の屋根部分に本発明に係る電球用ソケットを適用した状態を示す図で、屋台の屋根部分１にＶＶＦケーブル２が周設されていて、該ＶＶＦケーブル２は複数の係止金具３によって止められている。また、図１に示すようにＶＶＦケーブル２には、適宜間隔をとって電球４を装着した電球用ソケット５が複数配置されている。なお、ＶＶＦケーブルとは、絶縁内皮６によって絶縁被覆した芯線となる電線７，７を２本平行に配置し、その外周部を絶縁外皮（シース）８で被覆したものである。また、電線７，７は、直径が２．０ｍｍの比較的太いものが使用されている。もっとも、本発明を実施するにあたり、ＶＶＦケーブルのみに限られず、例えば、ＶＶＲケーブル、あるいはシースで被覆されていない絶縁ビニルケーブル等、種々の電線を用いることが可能である。
【００１１】
図２は、本発明に係る電球用ソケット５の正面図である。本発明に係る電球用ソケット５は、接続端子台１０と、該接続端子台１０の上部に被着される蓋体１１と、接続端子台１０の下方に設けられるソケット１２とによって概略構成されている。
【００１２】
接続端子台１０は、合成樹脂を略円柱形にしたもので、図３に示すようにその上面の中央部に上方へ突出する円錐台形状のガイド突起１５が設けられており、ガイド突起の中心から後述する蓋体１１を螺着するための螺子軸１６が上方へ突出している。また、ガイド突起１５の両側には、２本の電線７，７を各々嵌入させるための弧状に湾曲したガイド溝１７，１７が形成されており、該ガイド溝１７，１７は、その長手方向に沿った両端が開放されている。さらに、接続端子台１０の側面には、前記ガイド溝１７，１７の開放端から垂直下方に向かうようにガイド溝１７，１７と連なる導出溝１８，１８が設けられている。また、ガイド溝１７，１７の外側部分には接続端子台１０の上面よりも若干上方に突出した外側壁１９，１９が形成されている。このため、電線７，７はガイド溝１７，１７の外側壁１９，１９に沿った湾曲状になった状態でガイド溝１７，１７内に嵌り込むことになる。さらに、ガイド溝１７，１７の長手方向に沿った開放側であって両ガイド溝１７，１７間には、接続端子台１０の上面よりも若干上方に突出した凸部２０，２０が形成されていて、ガイド溝１７，１７に電線７，７を貫入した際、外側壁１９，１９と凸部２０，２０とによって電線７，７が挟持されるようになっている。また、該凸部２０，２０の側面は、その一部が水平方向に張り出す張出部２１，２１となっており、ガイド溝１７，１７の電線７，７を下方に折り曲げると、前記導出溝１８，１８と張出部２１，２１との間に電線７，７が挟持されるようになっている。さらに、ガイド溝１７，１７内であって、ガイド突起１５の両側には、それぞれ角柱形状の端子２２，２２が設けられている。また、該２つの端子２２，２２から接続端子台１０の下方に２本の導線２３，２３が引き出され、後述するソケット１２と連結されている。
【００１３】
なお、上記実施の形態では、接続端子台１０に設けられたガイド突起１５が円錐台形状になっている例を示したが、必ずしもこれに限られるわけではない。すなわち、２本の電線７，７間にガイド突起１５を挿し込んで２本の電線７，７を下方に押し下げると、２本の電線７，７間がガイド突起１５のテーパー部分で押し拡げられて、ガイド溝１７，１７へと送り込まれるようになっていればよいので、ガイド突起１５は、少なくともガイド溝１７，１７側に対応する両側面上方部分が先端に向かって窄まるテーパー状に形成されていれば足りる。また、ガイド溝１７，１７の外側壁１９，１９も必ずしも湾曲でなければならないわけでなく、くの字状に屈曲していてもよい。さらに、上記実施の形態では、接続端子台１０に角柱状の端子２２，２２を設けた例を説明したが、先端が尖った突起状の端子であってもよい。
【００１４】
前記蓋体１１は、合成樹脂により椀型に形成されており、その上面中央に短柱部２４が突設され、該短柱部２４の内側に螺子孔が形成されていて、該螺子孔に前記接続端子台１５の螺子軸１６を螺着することによって、接続端子台１０に蓋体１１を装着できるようになっている。
【００１５】
前記ソケット１２は、下端が開口した筒状になっており、その内部に電球の口金が嵌る金属製の雌螺子部が設けられている。また、ソケット１２の上面には２つの引込部２４，２４が突設され、該引込部２５，２５に２本の導線２３，２３が挿通されている。すなわち、ソケット１２と前記接続端子台１０とは、２本の導線２３，２３によって繋がっている。なお、本実施の形態では、ソケット１２と接続端子台１０とが別体になっている例を示したが、接続端子台１０とソケット１２とを一体に形成しても良い。
【００１６】
次に本発明に係る電球用ソケットにＶＶＦケーブルを装着する方法について、図５及び図６を参照しながら説明する。まず、ＶＶＦケーブル２の電球用ソケット５が装着される箇所の絶縁外皮（シース）８と絶縁内皮６とを予め剥いでおく。具体的には、図５（イ）に示すように、ＶＶＦケーブル２の絶縁外皮（シース）８を６０ｍｍ程度剥ぎ、２本の電線７，７を露出させた後、電線７，７の絶縁内皮６を６ｍｍ程度剥いで電線７，７の芯線を露出させる。ついで、図５（ロ）に示すように２本の電線７，７をほんの少しだけ拡げて隙間を作っておき、図６（イ）に示すように該電線７，７の隙間を接続端子台１０の螺子溝１６に挿入する。このとき、電線７，７の芯線部分が接続端子台１０の端子２２，２２に対応するように位置を合わせる。後は、電線７，７を下方に押し下げるようにすれば、電線７，７が接続端子台１０のガイド突起１５のテーパー部分に沿って押し拡げられながら、図６（ロ）に示されているようにガイド溝１７，１７に嵌り込む。このとき、電線７，７は、ガイド溝１７，１７の外側壁１９，１９に当接し弓形に湾曲した状態でガイド溝１７，１７に嵌り込むことになるため、電線７，７を予め菱形状にしておく必要がない。また、この時、電線７，７は、ガイド溝１７の外側壁１９と凸部２０との間に挟持され、安定した状態でガイド溝１７内に嵌り込む。さらに、図６（ハ）に示すように電線７，７を下方に折り曲げると、電線７，７は、接続端子台１０の導出溝１８，１８にも嵌り込むと共に、導出溝１８，１８の外側部分と張出部２１との間に挟持される。次に、蓋体１１を接続端子台１０に被せ、回転させると接続端子台１０の螺子軸１６に蓋体１１が螺着される。後は、図６（ホ）に示すように、下方に折れ曲がっている状態の電線７，７を水平方向へ折り曲げれば装着が完了する。
【図面の簡単な説明】
【００１７】
【図１】本発明に係る電球用ソケットの使用例を示す図。
【図２】本発明に係る電球用ソケットの正面図。
【図３】本発明に係る電球用ソケットの接続端子台の平面図。
【図４】本発明に係る電球用ソケットの接続端子台の正面図。
【図５】本発明に使用されるＶＶＦケーブルを示す図。
【図６】本発明に係る電球用ソケットをＶＶＦケーブルに装着する手順を示す図。
【符号の説明】
【００１８】
５    電球用ソケット
７    電線
１０  接続端子台
１１  蓋体
１５  ガイド突起
１７  ガイド溝
１８  導出溝
１９  外側壁
２０  凸部
２１  張出部
２２  端子
【図１】
0005084599.tif 000002
【図２】
0005084599.tif 000003
【図３】
0005084599.tif 000004
【図４】
0005084599.tif 000005
【図５】
0005084599.tif 000006
【図６】
0005084599.tif 000007